(57)【要約】  ＲＲＣアイドルモードでパケットデータサービスを受信する移動体端末２が受信サービスの品質に関する情報をネットワーク６に提供できるようにすることによって（Ｓ１５４）、通信システムに提供されるパケットデータサービスのサービス品質（ＱｏＳ）を保障する方法と装置が提供される。例えば、ＭＢＭＳなどの特定のサービスを受信する移動体端末２は、受信サービスの品質に関する情報または受信サービスの品質を判定（Ｓ１５６）するために実施（Ｓ１５８）された測定結果に関する情報を、ネットワーク６からの測定要求（Ｓ１５６）に応答して、または、受信サービスの品質が保障されるべき最小限のサービス品質以下であると移動体端末２が判定した場合、共通制御チャンネルを介してネットワーク６に提供する。【選択図】図３
2007503152.tif 000002
【特許請求の範囲】
【請求項１】
無線通信システムにおいて、サービス品質情報の通信方法であって、
共通トラフィックチャネルを介してネットワークからデータを受信するステップと、
前記共通トラフィックチャネルを介して受信された前記データのサービス品質を測定するステップと、
前記共通トラフィックチャネルを介して受信されたデータのサービス品質の測定に対する応答として、制御チャネルを介して測定結果パラメータを伝送するステップと、
を含むことを特徴とするサービス品質情報通信方法。 
【請求項２】
前記制御チャネルは共通制御チャネルであることを特徴とする請求項１に記載のサービス品質情報通信方法。 
【請求項３】
前記サービスはポイントツーマルチポイントサービスからなることを特徴とする請求項１に記載のサービス品質情報通信方法。 
【請求項４】
前記共通トラフィックチャネルはポイントツーマルチポイント・トラフィックチャネルであることを特徴とする請求項１に記載のサービス品質情報通信方法。 
【請求項５】
前記共通トラフィックチャネルを介して受信される前記データのサービス品質を測定するために、前記ネットワークから測定要求を受信するステップを更に含むことを特徴とする請求項１に記載のサービス品質情報通信方法。 
【請求項６】
前記測定要求は測定パラメータを含むことを特徴とする請求項５に記載のサービス品質情報通信方法。 
【請求項７】
前記測定パラメータは少なくとも一つの測定モードと測定対象からなり、前記測定モードは報告周期と関連することを特徴とする請求項６に記載のサービス品質情報通信方法。
【請求項８】
前記受信するステップ、測定するステップ、伝送ステップを実施する間にアイドルモードを維持することを特徴とする請求項１に記載のサービス品質情報通信方法。
【請求項９】
前記ネットワークと専用制御信号リンクがない場合に、前記アイドルモードが維持されることを特徴とする請求項８に記載のサービス品質情報通信方法。
【請求項１０】
前記測定結果パラメータは周期的にあるいはイベントトリガーに対する応答としての、少なくとも一つで伝送されることを特徴とする請求項１に記載のサービス品質情報通信方法。 
【請求項１１】
前記イベントトリガーは前記ネットワークにより設定された条件を含むことを特徴とする請求項１０に記載のサービス品質情報通信方法。 
【請求項１２】
前記ネットワークと連結が初期化された場合、前記測定結果パラメータは前記ネットワークに伝送されることを特徴とする請求項１に記載のサービス品質情報通信方法。 
【請求項１３】
他のサービスが必要であるか、他のサービスが必要でないかの、いずれか一つを表す伝送原因を伝送するステップを更に含むことを特徴とする請求項１２に記載のサービス品質情報通信方法。
【請求項１４】
無線通信システムにおいて、サービス品質情報通信方法であって、
共通トラフィックチャネルを介して少なくとも一つの移動体端末にデータを伝送するステップと、
前記共通トラフィックチャネルを介して伝送された前記データのサービス品質測定に対する応答として、少なくとも一つの移動体端末から制御チャネルを介して測定結果パラメータを受信するステップと、
を含むことを特徴とするサービス品質情報通信方法。
【請求項１５】
前記制御チャネルは共通制御チャネルであることを特徴とする請求項１４に記載のサービス品質情報通信方法。
【請求項１６】
前記サービスはポイントツーマルチポイントサービスからなることを特徴とする請求項１４に記載のサービス品質情報通信方法。
【請求項１７】
前記共通トラフィックチャネルはポイントツーマルチポイント・トラフィックチャネルであることを特徴とする請求項１４に記載のサービス品質情報通信方法。
【請求項１８】
前記共通トラフィックチャネルを介して受信される前記データのサービス品質の測定を要求するために、前記少なくとも一つの移動体端末に測定要求を伝送するステップを更に含むことを特徴とする請求項１４に記載のサービス品質情報通信方法。
【請求項１９】
前記測定要求は測定パラメータを含むことを特徴とする請求項１８に記載のサービス品質情報通信方法。
【請求項２０】
前記測定パラメータは、少なくとも一つの測定モードと測定対象からなり、前記測定モードは報告周期と関連することを特徴とする請求項１９に記載のサービス品質情報通信方法。
【請求項２１】
前記少なくとも一つの移動体端末はアイドルモード状態であることを特徴とする請求項１４に記載のサービス品質情報通信方法。
【請求項２２】
前記測定結果パラメータは周期的にあるいはイベントトリガーに対する応答の、少なくとも一つで伝送されることを特徴とする請求項１４に記載のサービス品質情報通信方法。
【請求項２３】
前記イベントトリガーは前記ネットワークにより設定された条件を含むことを特徴とする請求項２２に記載のサービス品質情報通信方法。
【請求項２４】
前記測定結果パラメータは、前記少なくとも一つの移動体端末がネットワークと連結を初期化したとき、受信されることを特徴とする請求項１４に記載のサービス品質情報通信方法。
【請求項２５】
前記少なくとも一つの移動体端末から受信された伝送原因を処理するステップと、連結サービスメッセージと連結拒否メッセージのうち、いずれか一つを伝送するステップを更に含むことを特徴とする請求項２４に記載のサービス品質情報通信方法。
【請求項２６】
無線通信システムにおいて、サービス品質情報を通信するための無線通信装置であって、
ネットワークからデータを受信し、前記ネットワークにサービス品質測定結果パラメータを伝送するＲＦモジュールと、
前記ネットワークからデータを受信し、前記ネットワークにサービス品質測定結果パラメータを伝送するアンテナと、
ユーザが情報を入力するキーパッドと、
サービス品質測定結果パラメータを格納するストレージと、
前記ユーザに情報を表示するディスプレイと、
共通トラフィックチャネルを介して前記データを受信し、測定結果パラメータを生成するために前記共通トラフィックチャネルを介して受信された前記データの前記サービス品質を測定し、制御チャネルを介して前記ネットワークに前記測定結果パラメータを伝送するプロセッシングユニットと、
を含むことを特徴とする無線通信装置。
【請求項２７】
前記制御チャネルは共通制御チャネル であることを特徴とする請求項２６に記載の無線通信装置。
【請求項２８】
前記共通トラフィックチャネルはポイントツーマルチポイント・トラフィックチャネルであることを特徴とする請求項２６に記載の無線通信装置。
【請求項２９】
前記プロセッシングユニットは、前記共通トラフィックチャネルを介して受信したデータの前記サービス品質を測定するために前記ネットワークから測定要求を受信する機能を実施し、前記測定要求は測定パラメータを含むことを特徴とする請求項２６に記載の無線通信装置。
【請求項３０】
前記測定パラメータは少なくとも一つの測定モードと測定対象からなり、前記測定モードは報告周期と関連することを特徴とする請求項２９に記載の無線通信装置。
【請求項３１】
前記プロセッシングユニットは周期的にまたはイベントトリガーに対する応答としての、いずれか一つで前記ネットワークに前記測定結果パラメータを伝送することを特徴とする請求項２６に記載の無線通信装置。
【請求項３２】
前記イベントトリガーは前記ネットワークにより設定された条件を含むことを特徴とする請求項３１に記載の無線通信装置。
【請求項３３】
前記プロセッシングユニットは前記ネットワークと連結が初期化された場合、前記測定結果パラメータを伝送する機能を更に実施することを特徴とする請求項２６に記載の無線通信装置。
【請求項３４】
前記プロセッシングユニットは、他のサービスが必要であるか、他のサービスが必要でないかのうち、いずれか一つを表す伝送原因を伝送する機能を実施することを特徴とする請求項３３に記載の無線通信装置。
【請求項３５】
前記サービスはポイントツーマルチポイントを含むことを特徴とする請求項２６に記載の無線通信装置。
【請求項３６】
前記プロセッシングユニットは前記受信するステップ、測定するステップ、伝送ステップを実施する間、アイドルモードを維持することを特徴とする請求項２６に記載の無線通信装置。
【請求項３７】
前記ネットワークと専用制御信号リンクがない場合、前記プロセッシングユニットは前記アイドルモードを維持することを特徴とする請求項３６に記載の無線通信装置。
【請求項３８】
無線通信システムにおいて、サービス品質情報通信を実施するためのネットワークであって、
少なくとも一つの移動体端末にデータを伝送する送信器と、
少なくとも一つの移動体端末から測定結果パラメータを受信する受信器と、
共通トラフィックチャネルを介して前記データを伝送し、制御チャネルを介して前記測定結果パラメータを受信し、前記共通トラフィックチャネルを介して伝送された前記データのサービス品質測定に対する応答として受信された前記測定結果パラメータを受信する制御器と、
を含むことを特徴とするネットワーク。
【請求項３９】
前記制御チャネルは共通制御チャネルであることを特徴とする請求項３８に記載のネットワーク。
【請求項４０】
前記共通トラフィックチャネルはポイントツーマルチポイント・トラフィックチャネルであることを特徴とする請求項３８に記載のネットワーク。
【請求項４１】
前記サービスはポイントツーマルチポイントサービスからなることを特徴とする請求項３８に記載のネットワーク。
【請求項４２】
前記制御器は前記少なくとも一つの移動体端末に測定要求を伝送し、前記共通トラフィックチャネルを介して伝送される前記データのサービス品質の測定を要求する機能を更に実施することを特徴とする請求項３８に記載のネットワーク。
【請求項４３】
前記制御器は測定パラメータを含む測定要求を伝送する機能を更に実施することを特徴とする請求項４２に記載のネットワーク。
【請求項４４】
前記測定パラメータは少なくとも一つの測定モードと測定対象を含み、前記測定モードは報告周期と関連することを特徴とする請求項４３に記載のネットワーク。
【請求項４５】
前記制御器は前記少なくとも一つの移動体端末から周期的に、またはイベントトリガーに対する応答の、いずれか一つで前記測定結果パラメータを受信することを特徴とする請求項３８に記載のネットワーク。
【請求項４６】
前記イベントトリガーは前記ネットワークにより設定された条件を含むことを特徴とする請求項４５に記載のネットワーク。
【請求項４７】
前記制御器は前記少なくとも一つの移動体端末がネットワークと連結を初期化する場合、前記測定結果パラメータを受信する機能を更に実施することを特徴とする請求項３８に記載のネットワーク。
【請求項４８】
前記制御器は前記少なくとも一つの移動体端末から受信した伝送原因を処理し、連結設定メッセージまたは連結拒否メッセージのうち、いずれか一つを伝送する機能を更に実施することを特徴とする請求項４７に記載のネットワーク。
【発明の詳細な説明】
【技術分野】
【０００１】
本発明は、通信システムにおいて提供されるパケットデータサービスのサービス品質を保障する方法と装置に関する。
【背景技術】
【０００２】
汎用移動体通信システム（ＵＭＴＳ; Universal Mobile Telecommunications System）は、ヨーロッパ標準であるＧＳＭ（Global System for Mobile communications）システムから進化した第３世代の移動体通信システムである。ＵＭＴＳはＧＳＭコアネットワーク及び広帯域符号分割多元接続技術に基づいて強化された移動体通信サービスを提供することを目標とする。
【０００３】
図１には、従来のＵＭＴＳネットワーク構造が示されている。移動体端末２すなわちユーザ設備（ＵＥ; User Equipment）がＵＴＲＡＮ（ＵＭＴＳ Terrestrial Radio Access Network）６を通じてコアネットワーク４に連結される。ＵＴＲＡＮ６はＵＥ２とコアネットワーク４との間の通信のために無線アクセスベアラー（bearer）を構成し、維持し、管理してサービス要件のエンドツーエンド品質を充足させる。
【０００４】
ＵＴＲＡＮ６は複数の無線ネットワークサブシステム８を含み、これらの各々は複数の基地局１２すなわち“ノードＢ”に対し一つの無線ネットワーク制御器（ＲＮＣ; Radio Network Controller）１０を含む。与えられた基地局１２に連結されたＲＮＣ１０は一つのセルで任意個数のＵＥ２に提供される共通リソースを割当てて管理するためのものである。ＲＮＣ１０はトラフィック負荷、セル輻輳、新規無線リンクの受入などを制御する。各々のノードＢ１２はＵＥ２からアップリンク信号を受信し、ＵＥ２にダウンリンク信号を伝送する。各々のノードＢ１２はＵＥ２をＵＴＲＡＮ６に連結するアクセスポイントとして機能する一方、ＲＮＣ１０は対応するノードＢをコアネットワーク４に連結させるアクセスポイントとして機能する。
【０００５】
特定のＵＥ１２に提供されるサービスは、例えば音声などの回線交換サービスと、例えばウェブブラウジングなどのパケット交換サービスを含む。回線交換サービスを支援する通信システムにおいて、ＲＮＣ１０はコアネットワーク４の移動体電話交換局（ＭＳＣ; Mobile Switching Center）１２に連結され、ＭＳＣ１２は外部ネットワークから要求されたり、または、外部ネットワークに要求される音声呼出のアクセスを管理するゲートウェイＭＳＣ（ＧＭＳＣ; Gateway MSC）１４に連結される。パケット交換サービスは、コアネットワーク４のＳＧＳＮ(Serving GPRS（General Packt Radio Service）Support Node)１６及びＧＧＳＮ（Gateway GPRS Support Node）１８により提供される。ＧＧＳＮ１８はインターネットまたはその他の外部パケット交換ネットワークへの連結を管理し、ＳＧＳＮ１６はＲＮＣ１０へのパケット通信を支援する。パケット交換サービスの一例としては、ＭＢＭＳ（Multimedia Broadcast/Multicast Service）があるが、これはＭＢＭＳデータをコアネットワーク４からＵＥ２に提供する。
【０００６】
ＵＥ２とＵＴＲＡＮ６との間のエアーインターフェースは無線ベアラーを設定し、再構成し、解除するためのＲＲＣ（Radio Resource Control）レイヤ（図示していない）を含む。無線ベアラーは、ＵＥ２とＵＴＲＡＮ６のＲＮＣ１０との間でデータを伝送するサービスであって、特定のＭＢＭＳが提供されるセル内のＵＥの個数を考慮した無線リソース管理状態によって、ポイントツーポイント無線ベアラーまたはポイントツーマルチポイント無線ベアラーとして設定される。
【０００７】
ＵＥ２は、ＵＥのＲＲＣレイヤと対応ＲＮＣ１０のＲＲＣレイヤが連結されてＲＲＣメッセージの双方向伝送を提供する場合、ＲＲＣ連結モードにあると言われる。ＲＲＣ連結のない場合、ＵＥ２はＲＲＣアイドルモードにあると言われる。
【０００８】
特定のセルで特定のサービスが提供されるようにポイントツーマルチポイント無線ベアラーが設定されると、ＵＴＲＡＮ６はセルの幾つかのＵＥ２にＲＲＣ連結モードに入ることを指示し、残りのＵＥ２にはＲＲＣアイドルモードとして残ることを指示する。例えば、アップリンク共通制御チャネルを介して特定サービスを受信しようとするＵＥ２からＲＲＣ連結要求を受信した後、ＵＴＲＡＮ６は無線リソース管理状態によりＲＲＣ連結セットアップメッセージまたはＲＲＣ連結拒否メッセージをＵＥ２に伝送する。
【０００９】
ＲＲＣ連結セットアップメッセージを受信したＵＥ２はＲＲＣ連結モードで対応サービスを受信するように制御され、ＲＲＣ連結拒否メッセージを受信したＵＥ２はＲＲＣアイドルモードで対応サービスを受信するように制御される。ＵＴＲＡＮ６へのＲＲＣ連結を完了したＵＥ２はＵＴＲＡＮの制御によって多様なメッセージを送ることができる。
【００１０】
図２は、ＲＲＣ連結が設定されるＵＴＲＡＮ６とＵＥ２との間で実施される従来の方法５０を図示する。ＵＴＲＡＮ６は、特定のサービスのためにＲＲＣ連結を要求する対応ＵＥ２からＲＲＣ連結要求（Ｓ５１）を受信する。これに応答して、ＵＴＲＡＮ６はＵＥ２にＲＲＣ連結セットアップメッセージを伝送する。
【００１１】
ＲＲＣ連結が設定されると、ＵＴＲＡＮ６から受信したＲＲＣ連結セットアップメッセージごとに伝送環境と受信環境がセットアップされ、ＵＥ２は、ＵＴＲＡＮ６にＲＲＣ連結セットアップ完了メッセージ（Ｓ５３）を伝送する。その後、ＵＥ２とＵＴＲＡＮ６は、現在ＲＲＣ連結モードにあるＵＥ２がＭＢＭＳのデータ（Ｓ５４）を受信できるようにする所定のプロシジャーを実施する。
【００１２】
設定された無線ベアラーをより效果的に管理し、特定のＭＢＭＳに対して最小限のサービスの品質（ＱｏＳ）を保障するために、ＵＴＲＡＮ６は、ＵＴＲＡＮから受信されるデータの品質を測定するようにＵＥ２に要求する測定要求メッセージ（Ｓ５５）を伝送する。受信されたデータの品質を測定した後、ＵＥ２はその結果をＵＴＲＡＮ６に報告する（Ｓ５６）。
【００１３】
ＵＥ２からの報告によって、ＵＴＲＡＮ６はコーディングやパワーレベルなど、そのサービスに対して割り当てられた変数を調整する。例えば、ＵＥ２からの報告がＭＢＭＳデータにおける過度のエラーレートを示す場合、ＵＴＲＡＮ６はＭＢＭＳに対してより多くの伝送パワーを割り当てる一方、ＵＥ２からの報告が信号強度が高すぎることを表す場合、ＵＴＲＡＮ６はパワーを減少させる。
【００１４】
測定要求メッセージは、データ伝送の現在条件を判定するためにＵＥ２にどれくらい頻繁に、または、いかなる間隔で特定のパラメータを測定するかを知らせ、かつ、いつＵＴＲＡＮ６に測定結果を報告するかを知らせる。測定結果を報告するための条件が満たされると、ＵＥ２は専用制御チャネルを使用してＵＴＲＡＮ６に測定報告（Ｓ５６）を伝送する。測定報告は対応サービスに対する測定結果を含む。
【００１５】
ポイントツーポイント無線ベアラーを設定し、対応サービスを受信する任意のＵＥ２はＵＴＲＡＮ６に測定報告を提供することができる。しかしながら、ポイントツーマルチポイント無線ベアラーが設定されると、ＵＥ２は専用制御チャネルの可用性に基づいて選択的にＲＲＣ連結される。したがって、ＵＥ２はＵＴＲＡＮ６へのＲＲＣ連結が設定された場合のみに、例えばＱｏＳ情報等、受信されたデータパケットに基づくフィードバック情報をＵＴＲＡＮ６に提供することができる。
【００１６】
ポイントツーマルチポイント無線ベアラーを通じてセル内にＭＢＭＳが提供される場合、ＲＲＣアイドルモードでサービスデータを受信するＵＥ２は、ＲＲＣ連結されておらず、したがって、受信されたデータ品質の測定を実施すること、または、これに対応する測定報告をＵＴＲＡＮ６に提供することの指示を受けない。したがって、ＲＲＣアイドルＵＥ２にＵＴＲＡＮ６からのサービスが提供されるが、サービスの品質の良不良に対してＵＴＲＡＮに知らせることがでず、最小限のサービス品質が保障できないことになる。
【００１７】
したがって、ＲＲＣアイドルモードでサービスを受信する移動体端末が受信したサービス品質に関する情報をネットワークに提供できるようにする方法と装置が必要である。本発明はこのような必要性及びその他の必要性に対処する。
【発明の開示】
【発明が解決しようとする課題】
【００１８】
本発明は、通信システムで提供されるパケットデータサービスのサービス品質を保障する方法と装置に関する。具体的には、本発明はＲＲＣアイドルモードでパケットデータサービスを受信する移動体端末が受信したサービス品質に関する情報をネットワークに提供することをその目的とする。
【課題を解決するための手段】
【００１９】
本発明の追加的な特徴及び利点は以下の説明で開示されるはずであり、一部は以下の説明から自明であるか、または、本発明の実施により学習できるはずである。本発明の目的及びその他の利点は、添付図面だけでなく、本明細書に記載された説明及び特許請求範囲で具体的に表れる構造により実現され取得できるはずである。
【００２０】
本明細書に具体的に示され、広範囲に説明されているように、本発明の目的によってこれら及びその他の利点を達成するために、パケットデータサービスを提供する無線通信システムにおいて、ダウンリンク共通チャネルを介して複数の移動体端末に特定の通信サービスを提供する際、本発明はＲＲＣアイドルモードで特定の通信サービスを受信する移動体端末に最小限の品質を提供する方法と装置として実現される。
【００２１】
本発明の一態様で、無線通信システムでのサービスに関するサービス品質情報を通信する方法が提供される。本方法は共通トラフィックチャネルを介してネットワークからデータを受信するステップ、共通トラフィックチャネルを介して受信されたデータのサービス品質を測定するステップ、共通トラフィックチャネルを介して受信されたデータのサービス品質測定に応答して制御チャネルを介してネットワークに測定結果のパラメータを伝送するステップを含む。
【００２２】
共通トラフィックチャネルはポイントツーマルチポイント・トラフィックチャネルとすることができる。また、制御チャネルは共通制御チャネルでよい。さらに、サービスはポイントツーマルチポイントサービスとすることができる。
【００２３】
本方法は共通トラフィックチャネルを介して受信されるデータのサービス品質を測定するための測定要求をネットワークから受信するステップを含み、その測定要求は測定パラメータを含む。測定パラメータは測定モード及び／または測定対象を含み、測定モードは報告周期と関連することが望ましい。
【００２４】
本方法はアイドルモードが維持されている間に実施される。好ましくは、アイドルモードはネットワークとの専用制御信号リンクが存在しない場合に維持される。
【００２５】
測定結果パラメータを、周期的に及び／またはイベントトリガーに応答してネットワークに伝送することができる。好ましくは、イベントトリガーはネットワークにより設定された条件を満たしたときに発生する。
【００２６】
ネットワークとの連結が開始される際、測定結果パラメータがネットワークに伝送されるようにしてもよい。また、他の非ＭＢＭＳサービスを受信するために、または、測定結果パラメータを伝送するためだけにネットワーク連結が開始されたかどうかを表す伝送原因が測定結果と共に伝送されるようにしてもよい。
【００２７】
本発明の他の態様では、無線通信システムでのサービスに関するサービス情報品質を通信する方法が提供される。本方法は共通トラフィックチャネルを介して少なくとも一つの移動体端末にデータを伝送するステップと、共通トラフィックチャネルを介して伝送されたデータのサービス品質測定に関する測定結果パラメータを移動体端末から受信するステップを含む。
【００２８】
共通トラフィックチャネルはポイントツーマルチポイント・トラフィックチャネルとすることができる。また、制御チャネルは共通制御チャネルでよい。さらに、サービスはポイントツーマルチポイントサービスとすることができる。
【００２９】
本方法は移動体端末がアイドルモードにある間に実施されるのが好ましい。本方法は共通トラフィックチャネルを介して受信されたデータのサービス品質測定を要求する測定要求を移動体端末に伝送するステップを含み、測定要求には測定パラメータを含む。測定パラメータは測定モード及び／または測定対象を含み、測定モードは報告周期と関連することが好ましい。
【００３０】
測定結果パラメータを、周期的に及び／またはイベントトリガーに応答して移動体端末から受信することができる。好ましくは、イベントトリガーはネットワークにより設定される条件である。
【００３１】
移動体端末がネットワークとの連結を開始する際、測定結果パラメータが受信される。また、他の非ＭＢＭＳサービスを要求するために、または、測定結果パラメータを伝送することのためにだけネットワーク連結が開始されたかどうかを判定する伝送原因が測定結果パラメータと共に受信されて処理され、連結セットアップメッセージまたは連結拒否メッセージが伝送されるようにしてもよい。
【００３２】
本発明の他の形態では、無線通信システムにおけるサービスに関するサービス品質情報を通信する移動体通信デバイスが提供される。このような移動体通信デバイスはＲＦモジュール、アンテナ、キーパッド、ストレージユニット、ディスプレイ、プロセッシングユニットを含む。
【００３３】
アンテナとＲＦモジュールはネットワークからデータを受信して、受信されたデータのサービス品質に関する測定結果パラメータをネットワークに伝送する。キーパッドはユーザに情報を入力させるためのものである。ディスプレイはユーザに情報を伝達する。ストレージユニットは受信されたデータのサービス品質に関する測定結果パラメータを格納する。プロセッシングユニットは本発明の方法を実施して、共通トラフィックチャネルを介してデータを受信し、共通トラフィックチャネルを介して受信されたデータのサービス品質を測定して測定結果パラメータを生成し、測定結果パラメータを制御チャネルを介してネットワークに伝送する。
【００３４】
本発明の他の態様では、無線通信システムにおけるサービスに関するサービス品質情報を通信するネットワークが提供される。ネットワークは、送信器、受信器、制御器を含む。
【００３５】
送信器は、少なくとも一つの移動体端末にデータを伝送する。受信器は移動体端末から測定結果パラメータを受信する。制御器は本発明の方法を実施して、共通トラフィックチャネルを介してデータを伝送し、共通トラフィックチャネルを介して伝送されたデータのサービス品質測定に応答して制御チャネルを介して測定結果パラメータを受信する。
【００３６】
本発明の前述した説明及び以下の詳細な説明は、全て例示的なものであり、特許請求範囲で請求される本発明に対してより具体的な説明を提供するためのものという点が理解されるべきである。
【００３７】
当業者は本発明に多様な変更及び変形が可能であるという点も理解されるはずである。したがって、本発明は特許請求範囲及びその等価物の範囲内で提供される変更及び変形をカバーするものである。
【発明の効果】
【００３８】
本発明によれば、ＲＲＣアイドルモードでパケットデータサービスを受信する移動体端末が受信サービスの品質に関する情報をネットワークに提供できるようにすることによって、通信システムに提供されるパケットデータサービスのサービス品質を保障する方法と装置を提供することができる。
【発明を実施するための最良の形態】
【００３９】
本発明は、ＲＲＣアイドルモードでパケットデータサービスを受信する移動体端末が受信されたサービスの品質に関する情報をネットワークに提供できるようにすることによって、通信システムから提供されるパケットデータサービスのサービス品質を保障する方法と装置に関する。本発明が移動体端末に関して説明されるが、本発明は、サービスが提供される通信デバイスのいくつかが、受信されたサービスの品質に関する情報をネットワークに提供することが排除されるアイドルモードになる通信システムにおいて、提供されるパケットデータサービスのサービス品質を保障することが要求される場合はいつでも利用できる。
【００４０】
添付の図面を参照しつつ本発明の実施形態を詳細に説明する。できる限り、全体図面を通じて同一または類似部分に対する参照には同一な参照番号を与えている。
【００４１】
本発明は複数の移動体端末２またはＵＥに例えばＭＢＭＳ等のパケットデータサービスを提供する通信システムが、ＲＲＣアイドルモードでパケットデータを受信する移動体端末に対して最小限のサービス品質を保障するという点に特徴がある。また、本発明はＭＢＭＳの以外のパケットデータサービスにも適用することができる。特定のサービスのためにポイントツーマルチポイント無線ベアラーが設定されると、本発明はＲＲＣアイドルモードにあるＵＥ２を含む、特定のサービスを受信しようとする複数のＵＥ２の各々のＵＥ２に対してサービス品質を保障することができる。
【００４２】
本発明において、ＵＴＲＡＮ６などのシステム側またはネットワークはアイドルモードにあるＵＥ２により実施される測定結果をより效果的に受信するために、ダウンリンク共通制御チャネルを介してアイドルモードにあるＵＥ２に測定制御情報を提供する。測定制御情報は、アイドルモードにあるＵＥ２が測定をどのように行うか、いかなる測定を行うか、いつＵＥ２がＵＴＲＡＮ６に特定測定結果を知らせるかを表す測定関連パラメータを含む。
【００４３】
例えば、ＵＴＲＡＮ６はＵＥ２が受信したデータブロックのエラーレートが許容可能な限界を超えるか否かに対して、測定制御情報によってＵＥ２に報告を要求することができる。要求された測定は、受信された信号の強度が所定値より大きいか否かを判定する。
【００４４】
測定制御情報は測定制御メッセージによって提供される。ＵＴＲＡＮ６が測定制御メッセージを生成する際、コアネットワーク４から“セッション開始”によって伝えられる特定のサービスに対するサービス品質情報が利用される。具体的には、ＵＴＲＡＮ６はコアネットワーク４から伝えられるサービス品質情報に基づいて特定のサービスに対して保障されるべき最小限のサービス品質に関する情報を計算し、その計算に基づいて測定制御情報を含む測定制御メッセージを生成して、測定制御メッセージをＵＥ２に伝送する。
【００４５】
アイドルモードにあるＵＥ２が最小限のサービス品質より劣る品質の特定のサービスを受信した場合、ＵＥ２はアップリンク共通制御チャネルを使用して受信されたサービスに対する品質状態情報を、例えば測定報告メッセージに入れてＵＴＲＡＮ６に伝送する。ＵＴＲＡＮ６はＵＥ２から受信した品質状態情報に基づいてリソースを制御してアイドルモードにあるＵＥ２に対する最小限のサービス品質を保障する。
【００４６】
ＵＥ２がＵＴＲＡＮ６に測定結果メッセージを頻繁に伝送すると、アップリンクチャネルの混雑が増加するので、ＵＴＲＡＮ６は測定の性能に関するパラメータ及び測定報告メッセージの伝送に関する条件をＵＥ２に提供する。これらのパラメータには、測定報告メッセージの伝送間の最小間隔を表すタイマー値、測定報告メッセージを伝達するための確率値、バックオフ（back-off）タイム値を含むことができる。
【００４７】
例えば、０〜１の間の値として測定報告メッセージが伝送される確率値とバックオフタイム値を受信すると、測定報告メッセージを伝達しようとするＵＥ２は、例えば０〜１の間である任意の数を生成する。生成した数が受信された確率値より小さいか大きい場合のみに、ＵＥ２は測定報告メッセージを伝送する。生成した数により測定報告メッセージが伝送できなければ、ＵＥ２は受信されたバックオフタイムによる時間の後に他の任意の数を生成し、新たな任意の数を受信された確率値と比較して、測定報告メッセージを伝送するか否かを再び判定する。
【００４８】
本発明では、アイドルモードで特定のＭＢＭＳを受信しているＵＥ２がＵＴＲＡＮ６から提供されるＭＢＭＳデータの品質を測定して、測定された品質情報をアップリンク共通制御チャネルを介してＵＴＲＡＮ６に伝送する。具体的には、ＵＥ２がＵＴＲＡＮ６から測定制御情報を受信する場合、ＵＥ２は測定制御情報を用いて提供されているサービスの品質を測定して、測定された結果が測定結果情報伝送のために設定された条件を満たせばアップリンク共通制御チャネルを介して測定結果をＵＴＲＡＮ６に伝送する。
【００４９】
ＵＥ２が測定制御情報の受信に失敗したり、または、測定制御情報がＵＴＲＡＮ６から伝送されなくても、ＵＥ２は受信されたサービスの品質が不良であるということを表す測定品質情報をアップリンク共通制御チャネルを介してＵＴＲＡＮ６に伝送することができる。ＵＥ２は受信されたサービスの品質が不良であると判定し、ＵＴＲＡＮ６が測定された品質情報を要求しなくても、測定された品質情報を伝送する。
【００５０】
情報伝送のための要件が満たされた場合、アイドルモードにあるＵＥ２は、アップリンク共通制御チャネルを介して、サービスに関して測定された品質情報またはサービス品質の測定に関する情報をＵＴＲＡＮ６に直ちに伝送する。したがって、サービス品質を素早く表示して、受信されたサービスの最小限の品質を效果的に保障することができる。
【００５１】
一方、サービスに関する品質情報またはサービス品質の測定に関する情報をＵＴＲＡＮ６に直ちに伝送する代わりに、ＵＥ２はＵＴＲＡＮ６とのＲＲＣ連結設定の際、このような情報を伝送することができる。アイドルモードにあるＵＥ２は、アップリンク共通制御チャネルを介して品質情報または測定結果を個別に伝送し、これによってアップリンク共通制御チャネルの周期的に増加する負荷を減少させることができる。
【００５２】
図３は、本発明の第１実施形態に係るサービス品質保障方法１００を示す図である。本方法１００によって、ＵＴＲＡＮ６は、アイドルモードにあるＵＥ２が受信したサービスの品質に関する測定結果を受信して、これによって無線リソース管理を実施することができる。
【００５３】
図３を参照すると、ＵＴＲＡＮ６はコアネットワーク４からＭＢＭＳセッション開始メッセージを受信する（Ｓ１０２）。コアネットワーク４はＭＢＭＳセッション開始メッセージに特定のＭＢＭＳのサービス識別子（ＩＤ）とそのサービスに関するサービス品質（ＱｏＳ）情報を含ませる。特定のＭＢＭＳのサービス識別子（ＩＤ）は、ＵＥ２、ＵＴＲＡＮ６、コアネットワーク４の間で伝えられる各々のメッセージに含まれ、メッセージと関連したサービスを識別する。
【００５４】
コアネットワーク４からＭＢＭＳセッション開始メッセージを受信すると、ＵＴＲＡＮ６はセル内の複数のＵＥ２にＭＢＭＳ通知メッセージを伝送して、特定のＭＢＭＳのデータ伝送が差し迫ったということをＵＥ２に知らせる。ＵＴＲＡＮ６はＭＢＭＳ通知及びカウンティング機能を実施し、ＭＢＭＳ提供のための無線ベアラーを設定し、セル内のＵＥ２に対するＭＢＭＳデータ伝送を開始する（Ｓ１０４）。
【００５５】
ＵＴＲＡＮ６はカウンティング機能を実施して、ＭＢＭＳ通知によってセル内で特定のＭＢＭＳの受信を希望するＵＥ２の数を判定する。カウンティング機能はポイントツーマルチポイントまたはポイントツーポイントとして特定のＭＢＭＳを提供する無線ベアラーを設定すべきか否かを判定することに用いられる。
【００５６】
ＵＴＲＡＮ６はＭＢＭＳ無線ベアラーを選択するためのしきい値を内部的に設定する。セル内で特定のＭＢＭＳの受信を希望するＵＥ２の数がしきい値より小さな場合、ＵＴＲＡＮ６はポイントツーポイントＭＢＭＳ無線ベアラーを設定する。セル内で特定のＭＢＭＳの受信を希望するＵＥ２の数がしきい値より大きい場合、ＵＴＲＡＮ６はポイントツーマルチポイントＭＢＭＳ無線ベアラーを設定する。
【００５７】
特定のサービスに対してポイントツーポイントベアラーが設定された場合、該当特定サービスの受信を希望する全てのＵＥ２がＲＲＣ連結モードに入る。しかしながら、特定のサービスに対してポイントツーマルチポイント無線ベアラーが設定された場合、アイドルモードにあるＵＥ２はポイントツーマルチポイント無線ベアラーを通じて該当サービスを受信できるので、該サービスの受信を希望する全てのＵＥ２がＲＲＣ連結モードにある必要はない。
【００５８】
ＭＢＭＳデータの伝送開始に続いてＵＴＲＡＮ６は、例えばＭＢＭＳ測定制御メッセージなど、サービスに対する測定制御メッセージをＵＥ２に伝送する。ＭＢＭＳ制御メッセージはＭＣＣＨなどのＭＢＭＳ制御チャネルまたはＢＣＣＨなどの同報通信制御チャネルを介してＭＢＭＳデータと共に伝送される（Ｓ１０６）。ＭＢＭＳ測定制御メッセージは測定関連パラメータを含み、ＵＥ２に特定のアイテムの特定の測定を特定の間隔で実施することを指示し、ＵＥ２に測定結果をいつＵＴＲＡＮ６に伝送するかを知らせる。
【００５９】
例えば、ＵＴＲＡＮ６はＵＥ２に特定のＭＢＭＳの受信信号強度を測定することと、各フレーム内で測定を実施することを指示するＭＢＭＳ測定制御メッセージを伝送する。また、ＭＢＭＳ測定制御メッセージは、受信ＭＢＭＳデータ信号強度が特定値以下のレベルのまま一定時間が経過すると、測定された情報を伝送することをＵＥ２に指示する。
【００６０】
したがって、測定制御メッセージはＵＥ２が受信サービスの品質と関連した測定を実施するのに必要な多様なタイプの情報を提供する。また、ＵＥ２が受信サービスの測定を実施している間に、測定値が特定条件を充足すると、測定制御メッセージは測定結果を伝送することをＵＥ２に指示する。
【００６１】
ＵＴＲＡＮ６は、ＭＢＭＳセッション開始メッセージによってコアネットワーク４が提供するサービス品質（ＱｏＳ）情報を利用して、および／またはＵＴＲＡＮ無線リソース構成を考慮して、測定制御メッセージと測定関連パラメータとを構成しまたは生成する。ＵＴＲＡＮ６は、測定制御メッセージによって、保障されるべき最小限のサービス品質に関してＵＥ２に知らせる。
【００６２】
ＵＥ２は、測定制御メッセージを受信すると、測定制御メッセージに含まれた情報にしたがって受信サービスに対して要求された測定を実施して、測定結果を伝送するべきか否かを判定する（Ｓ１０８）。具体的には、ＵＥ２は測定結果をＵＴＲＡＮ６に伝送するために必要な条件が満たされるか否かを点検する。
【００６３】
測定結果を伝送するための条件が満たされれば、ＵＥ２は受信サービスに対する測定結果を含む測定報告メッセージをＵＴＲＡＮ６に伝送する（Ｓ１１０）。報告のための条件が満たされないと、ＵＥ２は測定報告メッセージをＵＴＲＡＮ６に伝送しない。アイドルモードでＭＢＭＳを受信中のＵＥ２は、測定結果を含む測定報告メッセージをアップリンク共通制御チャネルを介してＵＴＲＡＮ６に伝送する。
【００６４】
前記測定制御メッセージでＵＴＲＡＮ６により保障されるべき最小限のサービス品質に関する情報が受信されれば、ＵＥ２は受信サービスの品質を保障されるべき最小限のサービス品質と比較する。ＵＥ２が受信したサービス品質が保障されるべき最小限のサービス品質より優れれば、ＵＥ２はＵＴＲＡＮ６に報告する。例えば、ＵＥ２は受信されたデータブロックのエラーレートに関してＵＴＲＡＮ６に報告する。
【００６５】
ＵＴＲＡＮ６は測定報告メッセージに含まれた測定結果情報を利用して無線リソースを管理する（Ｓ１１２）。例えば、受信サービスの品質が不良であると測定結果情報が表せば、ＵＴＲＡＮ６は該サービスに割り当てられたパワーを上昇させる。
【００６６】
図４は、本発明の第２実施形態によってサービス品質を保障する方法１５０を示す図である。本方法１５０は、コアネットワーク４がＭＢＭＳセッション開始メッセージ（Ｓ５１２）にサービスに関するサービス品質（ＱｏＳ）情報を含めないという点で第１実施形態と異なる。したがって、ＵＴＲＡＮ６はＵＴＲＡＮ無線リソース構成を考慮して測定制御メッセージ及び測定関連パラメータ（Ｓ１５６）を構成または生成する。
【００６７】
図５は、本発明の第３実施形態によってサービス品質を保障する方法２００を示す図である。本方法２００は、ＵＴＲＡＮ６が特定のサービス品質の測定のために必要な情報を提供しない場合、アイドル−モードＵＥ２に提供される特定のサービスの品質保障を容易にする。
【００６８】
図５を参照すると、ＵＴＲＡＮ６はコアネットワーク４からＭＢＭＳセッション開始メッセージ（Ｓ２０２）を受信する。コアネットワーク４はＭＢＭＳセッション開始メッセージにサービス関連の特定のＭＢＭＳのサービス識別子（ＩＤ）及びサービス品質（ＱｏＳ）情報を含める。
【００６９】
ＵＴＲＡＮ６は、コアネットワーク４からＭＢＭＳセッション開始メッセージを受信すると、セル内の複数のＵＥ２にＭＢＭＳ通知メッセージを伝送して、ＵＥ２に特定のＭＢＭＳのデータ伝送が差し迫ったということを知らせる。ＵＴＲＡＮ６はＭＢＭＳ通知及びカウンティング機能を実施し、ＭＢＭＳ提供のために無線ベアラーを設定し、セル内のＵＥ２へのＭＢＭＳデータ伝送を開始する（Ｓ２０４）。
【００７０】
ＵＴＲＡＮ６は、ＭＢＭＳ通知によってカウンティング機能を実施してセル内で特定のＭＢＭＳの受信を希望するＵＥ２の数を判定する。カウンティング機能は特定のＭＢＭＳを提供する無線ベアラーをポイントツーマルチポイントとすべきか、または、ポイントツーポイントとすべきかの可否を判定するのに用いられる。
【００７１】
ＵＴＲＡＮ６は、ＭＢＭＳ無線ベアラーを選択するためのしきい値を内部的に設定する。セル内で特定のＭＢＭＳの受信を希望するＵＥ２の数がしきい値より小さければ、ＵＴＲＡＮ６はポイントツーポイントＭＢＭＳ無線ベアラーを設定する。セル内で特定のＭＢＭＳの受信を希望するＵＥ２の数がしきい値より大きければ、ＵＴＲＡＮ６はＭＢＭＳ無線ベアラーを設定する。
【００７２】
ＵＥ２は受信サービスの受信品質を続けて点検する（Ｓ２０６）。受信サービスの受信品質が不良であると判定されれば、ＵＥ２はその判定された品質状態を含む受信状態報告メッセージをアップリンク共通制御チャネルを介してＵＴＲＡＮ６に伝送する（Ｓ２０８）。
【００７３】
例えば、ＵＥ２は受信されたＭＢＭＳのデータブロックエラーレートまたは受信信号強度として受信品質状態を表す受信状態メッセージをＵＴＲＡＮ６に伝送する。受信されたＭＢＭＳに対して受信品質点検を実施する場合、所定時間の間に受信されたデータブロックでエラーが頻繁に発生したり、データブロックでのエラーが所定数を超過したり、または、受信されたサービスの受信信号強度が所定レベル以下であれば、ＵＥ２はサービス品質が不良であると判定する。
【００７４】
ＵＴＲＡＮ６は受信状態報告メッセージに含まれた受信品質状態情報を利用して無線リソースを管理する（Ｓ２１０）。ＵＴＲＡＮ６はＵＥ２に対する最小限のサービス品質を保障するために無線リソースを管理する。
【００７５】
本発明の第１、第２、第３実施形態において、ＵＥ２は受信サービスに対する測定結果情報または受信品質状態情報を各々含む測定報告メッセージまたは受信状態報告メッセージをアップリンク共通制御チャネルを介してＵＴＲＡＮ６に直ちに送る。一方、ＵＥ２は測定報告メッセージまたは受信状態報告メッセージをＵＴＲＡＮ６に直ちに送らずに、例えば音声サービスなどＭＢＭＳ以外のサービスのためにＵＴＲＡＮとＲＲＣ連結したときに、受信サービスに対する測定結果情報または受信品質状態情報をＵＴＲＡＮ６に送っても良い。例えば、ＵＥ２は、ＭＢＭＳを受信する間に、受信サービスに対する測定結果情報または受信品質状態情報をＲＲＣ連結要求メッセージに含ませて、音声呼出を受信するためにＵＴＲＡＮ６にアクセスする際、アップリンク共通制御チャネルを介してＲＲＣ連結要求を伝送することができる。
【００７６】
図６は、測定報告メッセージまたは受信状態報告メッセージなどのＭＢＭＳ報告メッセージをＵＥ２がＵＴＲＡＮ６に直ちに伝送する方法３００を示す図である。図７は、測定報告メッセージまたは受信状態報告メッセージなどの報告メッセージを、例えばＲＲＣ連結要求メッセージなどＲＲＣ連結を要求するのに使われるメッセージによってＵＥ２がＵＴＲＡＮ６に伝送する方法４００を示す図である。
【００７７】
図６に示すように、ＲＲＣアイドルモード、または、ＲＲＣ連結モードにあるＵＥ２は、測定報告メッセージまたは受信状態報告メッセージなどの報告メッセージを共通制御チャネルまたは専用制御チャネルを介して専用メッセージを使用してＵＴＲＡＮ６に伝送する。図６を参照すると、ＵＥ２は受信された特定のサービスに対する品質情報などのフィードバック情報または受信サービスの品質測定結果に関連した情報を、例えばＭＢＭＳ報告メッセージ等、ＭＢＭＳ専用メッセージの一部としてＵＴＲＡＮ６に伝送する（Ｓ３０２）。
【００７８】
特定のＭＢＭＳのサービス識別子（ＩＤ）がＭＢＭＳ報告メッセージに含まれている。ＭＢＭＳ報告メッセージは、例えば相当な時間の間に過度なエラーを有する特定のサービスデータをＵＥ２が受信する場合、例えばＵＴＲＡＮ６が伝送したＭＢＭＳ測定制御メッセージにしたがって、または、特定のサービスの受信品質状態を表す情報にしたがって実施される測定の結果を含む。
【００７９】
ＵＴＲＡＮ６は、例えばＭＢＭＳ測定受信確認（Ｓ３０４）を伝送することによって、ＭＢＭＳ報告を受信した肯定応答する。その後、ＵＴＲＡＮ６はＵＥ２から受信される受信品質状態またはサービスに対する測定結果などの情報を活用することによって、無線リソースを管理する。ＵＴＲＡＮ６がＵＥ２に受信確認を知らせるステップは省略することができる。
【００８０】
図７を参照すると、セルで特定のサービスに対してポイントツーマルチポイント無線ベアラーが確立されると、ＵＴＲＡＮ６はＵＴＲＡＮ６が管理する無線リソースを考慮してセルで一部のＵＥ２をＲＲＣ連結モードに入るように制御し、残りのＵＥ２はＲＲＣアイドルモードを維持する。具体的には、特定のサービスの受信を希望するＵＥ２からアップリンク制御チャネルを介してＲＲＣ連結要求メッセージを受信すると、ＵＴＲＡＮはＵＴＲＡＮ６が維持する無線リソースを考慮してＲＲＣ連結モードで対応サービスを受信する所定数のＵＥ２にＲＲＣ連結セットアップメッセージを伝送する。残りのＵＥ２にはＲＲＣ連結拒否メッセージを伝送することによって、ＵＴＲＡＮ６は残りのＵＥ２がアイドルモードで対応サービスを受信するように制御する。
【００８１】
図７に示すように、ＵＥ２は特定の受信サービスに対する品質情報または受信されたサービス品質の測定に関連した情報をＲＲＣ連結要求に含ませて（Ｓ４０２）ＵＴＲＡＮ６に伝送する。本方法４００はＲＲＣ連結要求の拡張された利用を示す。
【００８２】
図７に図示された方法４００は、ＵＥ２が特定の受信されたサービスに対する品質情報または受信サービス品質の測定に関連した情報などのフィードバック情報を直ちに送る時には使われない。むしろ、図７に図示された方法は、ＵＥ２がＭＢＭＳを受信する間、ＭＢＭＳの以外の他のサービスを受信するためにＵＴＲＡＮ６とＲＲＣ連結を確立する時に使われる。
【００８３】
ＵＥ２は特定の受信されたサービスに対するサービス品質状態情報またはサービス品質の測定結果をＵＴＲＡＮ６に伝送されるＲＲＣ連結要求メッセージに含ませる。特定のＭＢＭＳのサービス識別子（ＩＤ）がＲＲＣ連結要求メッセージに含まれる。
【００８４】
また、ＲＲＣ連結要求メッセージは、ＵＥ２が他のサービスを受信しようと試みないときには、フィードバック情報の伝送のためだけに利用されてもよい。ＵＥ２は伝送の原因またはメッセージ伝送理由を含めてＲＲＣ連結要求メッセージを伝送する。ＲＲＣ連結要求メッセージにフィードバック情報が含まれている場合、及び他のサービスを受信するためにＵＥ２がＲＲＣ連結を要求していないことを伝送原因が示す場合、ＵＴＲＡＮ６はフィードバック情報が受信されたことを示すために、ＲＲＣ連結拒否メッセージをＵＥ２に伝送する（Ｓ４０４）。
【００８５】
一方、ＵＥ２がＭＢＭＳの以外のサービスを受信するためにＲＲＣ連結を要求する場合、ＵＴＲＡＮ６は、そのＵＴＲＡＮ６が維持する無線リソースを考慮して、ＲＲＣ連結セットアップメッセージまたはＲＲＣ連結拒否メッセージをＵＥ２に伝送する。
【００８６】
図８を参照すると、例えば、本発明の方法を実施するための携帯電話など、本発明の移動体通信デバイス５００のブロック図が示される。移動体通信デバイス５００はマイクロプロセッサまたはディジタル信号処理器などのプロセッシングユニット５１０、ＲＦモジュール５３５、電力管理モジュール５０５、アンテナ５４０、バッテリー５５５、ディスプレイ５１５、キーパッド５２０、フラッシュメモリ、ＲＯＭまたはＳＲＡＭなどのストレージユニット５３０、スピーカ５４５、マイクロホン５５０を含む。
【００８７】
ユーザは、例えばキーパッド５２０のボタンを押すことにより、または、マイクロホン５５０を使用する音声活性化により電話番号などの命令情報を入力する。プロセッシングユニット５１０は命令情報を受信及び処理して電話番号をダイヤルリングする等の適切な機能を実施する。このような機能を実行するために、メモリユニット５３０から演算データが検索される。また、プロセッシングユニット５１０はユーザの参照及び便宜性のために、ディスプレイ５１５上に命令や演算情報をディスプレイすることができる。
【００８８】
プロセッシングユニット５１０はＲＦモジュール５３５に命令情報を発行して、例えば音声通信データを含む無線信号を伝送することにより通信を初期化する。ＲＦモジュール５３５は無線信号を受信し、伝送する受信器と送信器を含む。アンテナ５４０は無線信号の送受信を容易にする。無線信号を受信すると、ＲＦモジュール５３５はこの信号を伝達してプロセッシングユニット５１０による処理のためにベースバンド周波数に変換する。処理された信号は、例えばスピーカ５４５を介して聴取できるか、あるいは読み取るための情報に変換される。
【００８９】
ＲＦモジュール５３５は、ネットワーク４からデータを受信し、サービス品質に関連した測定結果パラメータをネットワークに伝送するように構成されている。ストレージユニット５３０はサービス品質に関連した測定結果パラメータを格納する。処理ユニット５１０はトラフィックチャネルを介してデータを受信し、トラフィックチャネルを介して受信されたデータに対するサービス品質測定を実施して測定結果パラメータを生成し、測定結果を制御チャネルを介してネットワークに伝送する。
【００９０】
図９は、本発明の一実施形態に係るＵＴＲＡＮ６２０のブロック図である。ＵＴＲＡＮ６２０は一つ以上の無線ネットワークサブ−システム（ＲＮＳ）６２５を含む。各々のＲＮＳ６２５は、無線ネットワーク制御器（ＲＮＣ）６２３と、ＲＮＣ６２３が管理する複数のノードＢ６２１、または、基地局を含む。ＲＮＣ６２３は無線リソースの割当及び管理を取扱って、コアネットワーク４に対してアクセスポイントとして動作する。また、ＲＮＣ６２３は本発明の方法を実施するように構成される。
【００９１】
ノードＢ６２１は、アップリンクを通じて移動体端末５００の物理層が送った情報を受信して、ダウンリンクを通じて端末にデータを伝送する。ノードＢ６２１は移動体端末５００に対してＵＴＲＡＮ６２０のアクセスポイントとして、または受信器・送信器として動作する。
【００９２】
ノードＢは少なくとも一つの移動体端末５００にデータを伝送し、移動体端末から測定結果パラメータを受信するようになっている。ＲＮＣ６２３は、トラフィックチャネルを介してデータを伝送し、制御チャネルを介して測定結果パラメータを受信するが、測定結果パラメータは受信データのサービス品質測定に応答してトラフィックチャネルを介して受信される。
【００９３】
本発明によって、ＲＲＣアイドルモード移動体端末が、アップリンク共通制御チャネルを介して移動体端末に現在提供されるサービスに対する受信品質状態情報または測定結果をＵＴＲＡＮに知らせることができるようになった。また、ＵＴＲＡＮにはアップリンク共通制御チャネルを介してＲＲＣアイドルモード移動体端末に提供されるサービスに対する受信品質状態または測定結果が提供され、これによって、サービスが提供されるセル内に確立された無線ベアラーのより効果的な管理を容易にする。本発明はＲＲＣアイドルモードＵＥに提供されるサービスに対して最小限の品質保障を容易にする。
【００９４】
当業者には、例えばプロセッサ５１０やその他のデータまたはディジタル処理デバイスを単独に、または、外部支援ロジックと組合せて使用することによって、本発明の好ましい実施形態が容易に具現できるということが自明であろう。
【００９５】
本発明には移動体通信の内容が記述されたが、本発明は無線通信能力を備えるＰＤＡ及びラップトップコンピュータなど、移動体デバイスを使用する任意の無線通信システムに使用することができる。また、本発明を説明するために特定の用語を使用したことは本発明の範囲をＵＭＴＳ等の特定のタイプの無線通信システムに限定することを意図したものではない。本発明は、例えば、ＴＤＭＡ、ＣＤＭＡ、ＦＤＭＡ、ＷＣＤＭＡなど、互いに異なるエアーインターフェース及び／または物理層を使用するその他の無線通信システムにも適用されることができる。
【００９６】
ソフトウェア、ファームウエア、ハードウェアまたはこれらの任意に組み合わせを生成するために、標準プログラミング及び／または工学技術を使用して、方法、装置または製造物として好ましい実施形態を実装することができる。本明細書に使われた“製造物”という用語は、ハードウェアロジック（例えば、集積回路チップ、ＦＰＧＡ（Field Programmable Gate Array）、ＡＳＩＣ（Application Specific Integrated Circuit）等） またはコンピュータ読取可能媒体（例えば、磁気ストレージ媒体（ハードディスクドライブ、フロッピー（登録商標）ディスク、テープ等）、光ストレージ（ＣＤ−ＲＯＭ、光ディスク等）、揮発性及び不揮発性メモリデバイス（ＥＥＰＲＯＭ、ＲＯＭ、ＰＲＯＭ、ＲＡＭ、ＤＲＡＭ、ＳＲＡＭ、ファームウエア、プログラマブルロジック等））で具現されるコードまたはロジックを称する。
【００９７】
コンピュータ読取可能媒体にあるコードはプロセッサによりアクセスされ、かつ実行される。好ましい実施形態が実現されたコードは、伝送媒体を介して、またはネットワークを通してファイルサーバーからアクセスすることができる。このような場合、コードが実装された製造物はネットワーク伝送ライン、無線伝送媒体、空間を通じて電波する信号、無線波、赤外線信号などの伝送媒体を含む。勿論、当業者であれば本発明の範囲を外れない範囲でこのような構成に多数の変更ができるということや、製造物は当業界に知られた任意の情報含有媒体を含むことができるということを理解するはずである。
【００９８】
図面に図示された論理実装は特定の順序として発生することで、特定の演算である。代替実装では、特定の論理演算を、他の順序で実施したり、変形したり、または、除去することもでき、その場合でも、本発明の好ましい実施形態を変らずに具現することができる。また、上述したロジックにステップを加えることができ、その場合も本発明の実施形態になお従うことができる。
【図面の簡単な説明】
【００９９】
【図１】従来のＵＭＴＳネットワーク構造のブロック図である。
【図２】ＵＴＲＡＮがＵＥから受信状態フィードバックを受信する従来の方法を示す図である。
【図３】本発明の第１実施形態に係るサービス品質保障方法を示す図である。
【図４】本発明の第２実施形態に係るサービス品質保障方法を示す図である。
【図５】本発明の第３実施形態に係るサービス品質保障方法を示す図である。
【図６】サービス品質測定実施即時ＵＥがＵＴＲＡＮに報告メッセージを伝送する本発明の方法を示す図である。
【図７】ＵＴＲＡＮとの連結開始の際、ＵＥがＵＴＲＡＮに報告メッセージを伝送する本発明の方法を示す図である。
【図８】本発明の一実施形態によってネットワークからサービスを受信する移動体通信デバイスを示す図である。
【図９】本発明の一実施形態によって移動体端末にサービスを伝送するネットワークを示す図である。
【符号の説明】
【０１００】
２  ＵＥ、４  コアネットワーク、６  ＵＴＲＡＮ、５００  移動体通信デバイス、５０５  電力管理モジュール、５１０  処理ユニット、５１５  ディスプレイ、５２０  キーパッド、５３０  ストレージユニット、５３５  ＲＦモジュール、５４０  アンテナ、５４５  スピーカ、５５０  マイクロホン、５５５  バッテリー
【図１】
2007503152.tif 000003
【図２】
2007503152.tif 000004
【図３】
2007503152.tif 000005
【図４】
2007503152.tif 000006
【図５】
2007503152.tif 000007
【図６】
2007503152.tif 000008
【図７】
2007503152.tif 000009
【図８】
2007503152.tif 000010
【図９】
2007503152.tif 000011
【国際調査報告】
2007503152.tif 000012
2007503152.tif 000013
2007503152.tif 000014